(57)【要約】【課題】  広角な後方確認ができると共に、後方確認ミラーの監視範囲を調整可能とすることができる自動現金出入機（ＡＴＭ）用の後方確認ミラーを提供する。【解決手段】  本発明の後方確認ミラーは、外形が略円形の凸面鏡１と、凸面鏡１の背面側に設けられた傾斜平面を備えた傾斜部２と、前記傾斜平面に設けられた取付部３とを備えており、後方確認ミラーを回転してＡＴＭの前面に設置することにより、背後の不審者による暗証番号（パスワード）等の盗み見を防止する。【選択図】        図３
2007041153.tif 000002
【特許請求の範囲】
【請求項１】
外形が略円形の凸面鏡と、前記凸面鏡の背面側に設けられた傾斜平面を備えた傾斜部と、前記傾斜平面に設けられた取付部とを備えていることを特徴とする後方確認ミラー。
【請求項２】
外形が略円形状で表面に光反射膜が形成された凸面部と背面側に凹面部を有する凸面鏡と、前記凸面鏡の前記凹面部に設置され支持平面を備えた支持部と、前記支持部の前記支持平面に設置され前記支持平面に対して所定の傾斜角度で傾斜する傾斜平面を備えた傾斜部と、前記傾斜部の前記傾斜平面に設置された取付部とから成る後方確認ミラー。
【請求項３】
請求項１又は請求項２に記載の後方確認ミラーにおいて、
前記傾斜部の前記傾斜平面の傾斜角度が調整可能であることを特徴とする後方確認ミラー。
【請求項４】
請求項１乃至請求項３のいずれかに記載の後方確認ミラーにおいて、
前記取付部は、後方確認ミラーの設置場所に応じて取付部材を変更可能であることを特徴とする後方確認ミラー。
【発明の詳細な説明】
【技術分野】
【０００１】
本発明は、広角で且つ監視範囲を調整可能な後方確認ミラーに関し、例えば、自動現金出入機（以下、「ＡＴＭ」と称す。）の操作時に背後から暗証番号などの機密情報を覗き見るなどの不正な盗視を防止するために用いことができる、広角で且つ監視範囲を調整可能な後方確認ミラーに関する。
【背景技術】
【０００２】
キャッシュカードのカード番号や暗証番号（パスワード）を不正に取得して、現金を不正に入手する犯罪が増加している。キャッシュカードのカード番号やパスワードの不正な取得には、種々の不正な手段が想定されるが、最も単純な方法の一つが、ＡＴＭを操作しているときに、犯人が、順番待ちなどを装って、後方から操作時の暗証番号の入力を直接、覗き見て、あるいは、カメラで盗撮して、暗証番号（パスワード）を不正に入手し、他の個人情報と組み合わせて、不正な金銭取引等を行うものである。
【０００３】
このような、ＡＴＭ操作時の後方からの暗証番号の入力の覗き見や、カメラでの盗撮を防止する後方確認のための手段が必要とされている。
従来、人間が直接、確認することが困難な場所を見るために、反射鏡（ミラー）を用いることは、通常に行われることであり、例えば、特許文献１には、旅客航空機の室内上部の荷棚にフレネル構造の平板ミラーを取り付けて、下方の位置から荷棚の底部を広角に視認することができる装置が記載されている。図１１に、航空機の上部荷棚内の荷物を下方から視認できる平板上の確認ミラー（従来例１）を示す。
【０００４】
また、特許文献２には、スーパーマーケットやコンビニエンスストア等における万引き防止用に好適な監視ミラーとして、凸面鏡の監視ミラーが記載されており、長尺形状の凸面鏡板の裏面側に裏打ち円板を接着剤を介して貼り付け、裏打ち円板を支持アームを介して支持する監視ミラーが開示されている。図１２に、上記凸面鏡の監視ミラー（従来例２）を示す。
【０００５】
また、特許文献３には、スーパーマーケットやコンビニエンスストア等における万引きを防止するための死角確認用の監視ミラーとして、天井に支持台を固定し、支持台に支持ロッドを軸廻りに回動可能に取り付け、凸面鏡を支持ロッドに対して傾斜角度を調節可能に取り付けた監視ミラーが記載されている。図１３に、上記凸面鏡の監視ミラー（従来例３）を示す。
【０００６】
【特許文献１】特開平９−２６７８００号公報
【特許文献２】特開平１１−２４８９１２号公報
【特許文献３】特開２００４−２１１４３３号公報
【発明の開示】
【発明が解決しようとする課題】
【０００７】
ＡＴＭ操作時の、暗証番号などの機密情報の覗き見を防止するためには、操作者の前面のＡＴＭ側に取り付けられ、操作者の後方の不審な人物あるいは不審な機器を監視できる広角な後方確認ミラーが必要である。
また、ＡＴＭを設置する銀行等の構内には、通常、複数のＡＴＭが並んで設置されており、中央に配置されたＡＴＭと端部に配置されたＡＴＭでは、後方の広い監視範囲のどの辺りを重点的に監視すれば良いかが相違している。
例えば、中央に配置されたＡＴＭでは、特に上方からの覗き見や下方からの覗き見を監視することが重要であるし、端部、例えば、右側の端部に配置されたＡＴＭでは、右方の肩越しや、右斜め下方からの覗き見の監視が重要である。
【０００８】
また、後方の広い監視範囲のどの辺りを重点的に監視すれば良いかは、ＡＴＭのどの部分に後方確認ミラーを取り付けるかにも依存し、例えば、ＡＴＭの周囲の、例えば、頭上、あるいは、側方の仕切り板（パーテション）の設置状況や、順番待ちの列の位置とＡＴＭ機との位置関係、ＡＴＭの操作盤の配置関係にも依存している。
これらの状況に対処にするためには、ＡＴＭ用の後方確認カメラは、広角な後方確認ができると共に、後方確認ミラーの監視範囲を調整可能とすることが必要である。
【０００９】
更に、ＡＴＭ用の後方確認カメラは、操作者がＡＴＭの操作盤のキーを操作しながら、後方の監視を容易に行うことができることが必要であると共に、逆に、後方の不審者側からは、ＡＴＭ操作面（手元）が見えないことや、前面に設置された後方確認ミラーが、どの方向を特に確認しているのかが犯人には良く分からないことも重要である。
しかしながら、上記の従来例１から３に記載された従来の監視ミラーなどでは、それらの課題を解決する後方確認ミラーを提供することはできない。
【００１０】
そこで、本発明は、例えば、ＡＴＭの操作時に後方からの覗き見を防止するための後方確認に用いることができる、広角な後方確認ミラーを提供することを目的とする。
また、本発明は、ＡＴＭの設置状況や配置状況に応じて、後方の広い監視範囲のどの辺りを重点的に監視すれば良いか、監視範囲を調整可能とすることできる後方確認ミラーを提供することを目的とする。
更に、本発明は、操作者からはＡＴＭのキー操作時に、後方の不審な人物の挙動やあるいは不審な機器の動作を容易に監視することができると共に、逆に、後方の不審者側からは、ＡＴＭ操作面が見えず、また、後方確認ミラーが、どの方向を重点的に監視しているのか犯人には分からない後方確認ミラーを提供することを目的とする。
【課題を解決するための手段】
【００１１】
本発明の後方確認ミラーは、外形が略円形の凸面鏡と、前記凸面鏡の背面に設けられた傾斜平面を備えた傾斜部と、前記傾斜平面に設けられた取付部とを備えていることを特徴とする。
また、本発明の後方確認ミラーは、傾斜平面の向きを回転して監視範囲を調整可能なように後方確認ミラーを取り付け可能であることを特徴とする。
更に、本発明の後方確認ミラーは、傾斜平面の傾斜角度が変更可能であり、監視範囲を更に広範囲に調整可能であることを特徴とする。
更にまた、本発明の後方確認ミラーは、設置場所に応じて、取付部を変更可能であることを特徴とする。
【発明の効果】
【００１２】
本発明の後方確認ミラーは、後方を広角に確認することができるとともに、外形が略円形の凸面鏡を回転して、傾斜部の矩形の傾斜面の向きを変更して取付部で取り付ければ、凸面鏡の向きが変更され、後方確認ミラーの監視範囲を調整することが可能であり、後方の広い監視範囲のどの辺りを重点的に監視するかを調整することが可能である。
【００１３】
また、本発明の後方確認ミラーは、凸面鏡であるから、操作者からは、広い後方範囲を監視できるが、背後の不審者側からの視覚範囲は狭いので、ＡＴＭ操作面は見ることはできなくなる。また、凸面鏡の形状は略円形であるから、凸面鏡を回転して背面側の傾斜部の向きを変更して凸面鏡の監視範囲を調整しても、凸面鏡の外形からは、後方監視ミラーが、後方のどの方向を重点的に監視しているのか分からず、不審者の監視に好適である。
【００１４】
更に、本発明の後方確認ミラーは、前記傾斜面の傾斜角度は変更可能であるから、後方の監視範囲の広さを調整することができ、ほとんど全範囲の後方を監視する場合や、ＡＴＭの設置状況によっては、肩越し方向などの後方の特定の限られた範囲を重点的に監視するように設定することが可能である。
【００１５】
更にまた、本発明の後方確認ミラーは、設置場所に応じて、取付部の取り付け部材を変更可能であるから、ＡＴＭの異なる設置場所に取付可能である。
【発明を実施するための最良の形態】
【００１６】
以下、図面を参照して、本発明の実施の形態を説明する。
【実施例１】
【００１７】
図１に、本発明の実施例１の後方確認ミラーの正面図を示す。
図１を参照すると、本発明の後方確認ミラーの正面側は、外形が略円形状の凸面鏡１を形成している。凸面鏡１は、外形が略円形状で表面に光反射膜が形成された凸面部４と外形が略円形状の環状の縁部５とから構成されている。
図１において、本発明の後方確認ミラーが矢印の方向に回転したとしても、凸面鏡１の凸面部４と縁部５は外形が略円形状であるから、正面側からは、この回転角度を知ることは困難である。
【００１８】
図２に、本発明の後方確認ミラーの背面図を示す。
図２を参照すると、本発明の後方確認ミラーの背面側には、外形が略円形状の凹面部６が形成され、凹面部６に、傾斜部２（不図示）と取付部３が重ねて設けられている。傾斜部２（不図示）と取付部３の外形は略矩形形状をしており、矩形の辺の向きが傾斜部の傾斜面の方向を示していて好適な形状である
図２において、本発明の後方確認ミラーを矢印の方向に回転させると、後方確認ミラーの背面側の傾斜部２（不図示）と、取付部３とが回転し、特定の向きを確認して、取付部３により後方確認ミラーを取り付けることができる。
【００１９】
図３に、本発明の後方確認ミラーの側面図を示す。
図３を参照すると、本発明の後方確認ミラーの正面側は、表面に光反射膜が形成された凸面部４と縁部５とから構成された凸面鏡１を形成し、背面側には、傾斜部２と取付部３が重ねて設けられている。傾斜部２には、凸面鏡１に対して傾斜角度１０（θ）の傾斜面９が形成されており、この傾斜部２の傾斜面９に取付部３が重ねて設置されている。
【００２０】
図３のように、後方確認ミラーの取付部３が、傾斜部２の傾斜平面９が傾斜角度１０（θ）で上側に開く向きで、例えば、ＡＴＭの前面に取り付けられたマガジンボックスの鉛直方向（重力方向）を向いている垂直面に取り付けられると、傾斜部２の傾斜角度１０（θ）により、凸面鏡１は水平方向より下方を向くように配置されることになる。
また、後方確認ミラーの上下が１８０度回転されて、傾斜部２の傾斜平面９が傾斜角度１０（θ）で下側に開く向きで、垂直面に取り付けられると、凸面鏡１は水平方向より上方を向くように配置される。
【００２１】
図４には、本発明の後方確認ミラーの図１及び図２のＡ−Ａ断面図を示す。
図４を参照すると、本発明の後方確認ミラーの凸面鏡１は、表面に光反射膜が形成された凸面部４と縁部５とから構成され、凸面鏡１の背面側は凹面部６を形成している。
凸面鏡１の背面側の凹面部６には支持部７が取り付けられている。支持部７の断面は、円形の一部を直線で切断した形状をしており、支持部７は、凹面部６に設けられた円柱を支持平面８で切断した蒲鉾形の形状をしている。
【００２２】
支持部７の支持平面８には、傾斜部２が設置されており、傾斜部２の傾斜平面９は、支持部２の支持平面８に対して、傾斜角度１０がθ度の傾斜で配置されている。傾斜部２の傾斜平面９には、取付部３が設置されている。取付部３の詳細は図示されていないが、例えば、両面接着テープ等で構成される。
【００２３】
図５に、本発明の後方確認ミラーの図１〜図３のＢ−Ｂ側面図を示す。
図５を参照すると、本発明の後方確認ミラーの凸面鏡１は、表面に光反射膜が形成された凸面部４と縁部５とから構成され、凸面鏡１の背面側は凹面部６を形成している。
凸面鏡１の背面側の凹面部６には支持部７が取り付けられている。支持部７の断面は、円形の一部を３本の直線で切断した形状をしており、支持部７は、凹面部６に設けられた円柱を支持平面８で切断した蒲鉾形の形状をしている。
【００２４】
図５の支持部７の支持平面８には、傾斜部２が設置されている。Ｂ−Ｂ断面図では、傾斜部２の傾斜平面９は、空間を空けて分離して配置されているが、これは、傾斜部２の傾斜平面９が、傾斜角度θで上方に開いた形で配置され、Ｂ−Ｂ断面の位置では、図５に記載された間隔で配置されているからである。傾斜部２の傾斜平面９には、取付部３が設置され、取付部３の詳細は図示されていないが、例えば、両面接着テープ等で構成される。
【００２５】
図６に、本発明の後方確認ミラーの監視範囲の調整方法を説明する説明図を示す。
図３で説明したように、後方確認ミラーが、傾斜平面が傾斜角度θで上側に開く向きで、垂直面に取り付けられると、凸面鏡は水平方向より下方を向くように配置され、また、後方確認ミラーの上下が１８０度回転されて、傾斜平面が傾斜角度θで下側に開く向きで、垂直面に取り付けられると、凸面鏡は水平方向より上方を向くように配置される。
【００２６】
図６において、後方確認ミラーが、傾斜平面が上側に開く向きで、垂直面に取り付けられると、操作者の目には、監視範囲１の領域の光が入射し、監視範囲１の領域を監視することができる。また、点線で示されるように、後方確認ミラーが１８０度回転されて、傾斜平面が下側に開く向きで、垂直面に取り付けられると、操作者の目には、点線で示される監視範囲２の領域の光が入射し、監視範囲２の領域を監視することができる。一方、操作者の背後に位置する、例えば、不審者の目と後方監視ミラーとの距離は、操作者の目と後方監視ミラーとの距離よりも大きいので、不審者が、後方監視ミラーを介して監視する範囲は、非常に狭い範囲となる。また、後方監視ミラーが１８０度以外の角度で回転されると、監視範囲は水平方向の上下方向に移動し、左右方向にも移動し、後方の監視範囲の方向を上下左右に調整することができる。
【００２７】
図７に、本発明の後方確認ミラーのＡＴＭへの設置状況の側面図を示す。
図７において、後方確認ミラーは、例えば、ＡＴＭの前面上部に設置されたマガジンボックスの前面に設置される。後方確認ミラーを取り付ける回転の向きを調整すると、操作者は、実線で示された監視範囲から点線で示された監視範囲まで、監視範囲の方向を調整することができ、また、背後の不審者からは、手元の操作盤を見ることができないように調整することができる。
【００２８】
図８に、本発明の後方確認ミラーの複数のＡＴＭへの設置状況の平面図を示す。
図８に示されるように、ＡＴＭを設置する銀行等の構内に、複数のＡＴＭが並んで設置されている場合には、中央に配置されたＡＴＭと端部に配置されたＡＴＭでは、後方の広い監視範囲のどの辺りを重点的に監視すれば良いかが相違している。
【００２９】
例えば、中央に配置されたＡＴＭでは、特に上方からの覗き見や下方からの覗き見を監視することが重要であって、水平方向は左右均等にして、特に、上下方向に監視範囲を調整することができ、端部、例えば、右側の端部に配置されたＡＴＭでは、監視範囲を右側に向けて、実線で示された監視範囲から、点線で示された監視範囲へと向きを調整する。右側に配置されたＡＴＭでは、右方の肩越しや、右斜め下方からの覗き見の監視が重要であるので、監視範囲を水平のみならず、上下方向にも調製し、凸面鏡を取り付ける配置の回転角度を調整して斜め後方を特に監視することも重要である。
【００３０】
また、後方の広い監視範囲のどの辺りを重点的に監視すれば良いかは、ＡＴＭのどの部分に後方確認ミラーを取り付けるかにも依存し、例えば、ＡＴＭの周囲の、例えば、頭上、あるいは、側方の仕切り板（パーテション）の設置状況や、順番待ちの列の位置とＡＴＭ機との位置関係、ＡＴＭの操作盤の配置関係にも依存するが、後方回転ミラーの回転と傾斜とを考慮して、後方確認ミラーを設置する。
【実施例２】
【００３１】
図９に、本発明の傾斜部の傾斜平面の傾斜角度を調整可能な本発明の後方確認ミラーの実施例２を示す。実施例１では、傾斜部２の傾斜平面９の傾斜角度１０は、角度θに設定されていたが、本発明の実施例２では、傾斜部の傾斜平面の傾斜角度を調整可能である。
図９の（ａ）には、傾斜角度θの傾斜部２を複数枚貼り合わせて、傾斜角度を調整可能とする例が示されている。傾斜部２を２枚貼り合わせると傾斜角度は２θ、傾斜部２を３枚貼りあわせると傾斜角度３θになるが、傾斜角度θを異ならせた複数の傾斜部２を貼りあわせることにより、種々の傾斜角度を備えた傾斜部２を構成することができる。
【００３２】
図９の（ｂ）には、傾斜部２の傾斜角度を、多角形の傾斜部材１４で調整する例が示されている。図９の（ｂ）では、不等辺三角形の傾斜部材１４が記載されており、不等辺三角形の高さが異なっているので、この傾斜部材１４を回転することにより、傾斜部２の傾斜角度を調整することができる。また、傾斜部材１４の形状を高さの異なる多角形とすることにより、更に、多段階に傾斜部２の傾斜角度を調整することもできる。
【００３３】
図９の（ｃ）には、傾斜部２の傾斜角度を、台形の傾斜部材１４で調整する例が示されている。台形の傾斜部材１４の高さは一定であるが、これをスライドさせることにより、傾斜部２の傾斜角度を調整することができる。スライドさせる距離を連続的に調整すれば、傾斜部２の傾斜角度を連続的に調整することができる。
【実施例３】
【００３４】
図１０には、ＡＴＭの設置場所に応じて、取付部を変更可能な本発明の後方確認ミラーの実施例３を示す。
図１０（ａ）には、粘着層に剥離紙が設けられた取付部３を示す。ＡＴＭの前面上部に設けられたマガジンボックスのアクリル樹脂製の前面に、後方確認ミラーを取り付けるときは、剥離紙を付けたまま、現場で、後方確認ミラーを回転して、監視範囲を調整して、取付部３の向きを確認した上で、剥離紙を剥離し、粘着層を直接、マガジンボックスのアクリル樹脂製の前面に貼り付けて後方確認ミラーを固定する。
【００３５】
図１０（ｂ）には、粘着層と、取付部材１５を備えた取付層とから成る取付部３を示す。
取付部材１５は、複数の磁石からなる。粘着層は、傾斜部２の傾斜平面９に貼り付けられており、取付層の複数の磁石により、後方確認ミラーを、ＡＴＭの前面の金属製の筐体などに固定する。
【００３６】
図１０（ｃ）には、粘着層と、取付部材１５を備えた取付層とから成る取付部３を示す。
取付部材１５は、複数の固定ピンからなる。粘着層は、傾斜部２の傾斜平面９に貼り付けられており、取付層の複数の固定ピンにより、後方確認ミラーを、ＡＴＭの前面側あるいは周囲のパーテーションなどに固定する。
【実施例４】
【００３７】
本発明の後方監視ミラーの凸面鏡１、傾斜部２、及び取付部３は、上記の実施例１乃至実施例３の具体例とは相違する他の実施の形態が可能であり、これらの他の実施の形態を実施例４として説明する。
【００３８】
実施例４では、凸面鏡１の構造が相違する。例えば、実施例１では、図１を参照すると、凸面鏡１の環状の縁部５は光反射膜を備えていないが、凸面鏡１を環状の縁部を有しない全面光反射膜が形成された縁部なしの全面凸面鏡に変更することが可能である。
実施例４では、傾斜部２と取付部３の形状が相違する。例えば、実施例１では、図２を参照すると、傾斜部２と取付部３の外形は略矩形状に形成されているが、傾斜面の方向を示すことができれば、傾斜部２と取付部３の外形は、矩形状以外の他の形状とすることが可能である。
実施例４では、傾斜部２の構造が相違する。例えば、実施例１では、図３を参照すると、傾斜部２の傾斜平面９が薄い板状の平面で形成されることが示されているが、傾斜部２は、凸面鏡１に対して傾斜角度１０（θ）の傾斜平面面９が形成されるように、例えば、楔形状の中実の傾斜部材で構成することが可能である。
【図面の簡単な説明】
【００３９】
【図１】図１は、本発明の後方確認ミラーの正面図である（実施例１）。
【図２】図２は、本発明の後方確認ミラーの背面図である（実施例１）。
【図３】図３は、本発明の後方確認ミラーの側面図である（実施例１）。
【図４】図４は、本発明の後方確認ミラーのＡ−Ａ断面図である（実施例１）。
【図５】図５は、本発明の後方確認ミラーのＢ−Ｂ側面図である（実施例１）。
【図６】図６は、本発明の後方確認ミラーの監視範囲の調整を説明する説明図である（実施例１）。
【図７】図７は、本発明の後方確認ミラーのＡＴＭへの設置状況を示す側面図である。
【図８】図８は、本発明の後方確認ミラーの複数のＡＴＭへの設置状況を示す平面図である。
【図９】図９は、傾斜部の傾斜面の傾斜角度を調整可能な後方確認ミラー（実施例２）を示す。
【図１０】図１０は、ＡＴＭの設置場所に応じて、取付部を変更可能な本発明の後方確認ミラー（実施例３）を示す。
【図１１】図１１は、航空機の上部荷棚内の荷物を下方から視認できる平板上の確認ミラー（従来例１）を示す図である。
【図１２】図１２は、凸面鏡の監視ミラー（従来例２）を示す図である。
【図１３】図１３は、凸面鏡の監視ミラー（従来例３）を示す図である。
【符号の説明】
【００４０】
１    凸面鏡
２    傾斜部
３    取付部
４    凸面部
５    縁部
６    凹面部
７    支持部
８    支持平面
９    傾斜平面
１０    傾斜角度
１１    ＡＴＭ
１２    マガジンボックス
１３    監視範囲
１４    角度調整部材
１５    取付部材
【図１】
2007041153.tif 000003
【図２】
2007041153.tif 000004
【図３】
2007041153.tif 000005
【図４】
2007041153.tif 000006
【図５】
2007041153.tif 000007
【図６】
2007041153.tif 000008
【図７】
2007041153.tif 000009
【図８】
2007041153.tif 000010
【図９】
2007041153.tif 000011
【図１０】
2007041153.tif 000012
【図１１】
2007041153.tif 000013
【図１２】
2007041153.tif 000014
【図１３】
2007041153.tif 000015